(57)【要約】  【課題】  情報媒体の有するＩＣチップの情報の読み取り作業の作業性が向上する情報媒体読取装置を提供する。  【解決手段】  情報媒体読取装置１は、ＩＣチップ２３を有する手帳型の情報媒体２０が開いた状態で載せられる情報媒体載せ台２と、情報媒体２０のＩＣチップ２３の情報を無線通信によって読み取り可能なＩＣチップ読取アンテナ３と、情報媒体２０の第１辺が突き当てられる第１ガイド部材４と、情報媒体２０の第２辺が突き当てられる第２ガイド部材５と、第１ガイド部材４から突出する背押え部材６とを備える。背押え部材６と情報媒体載せ台２との間には、所定の高さ方向の間隔を有する保持空間１２が形成されており、背押え部材６は、保持空間１２に挿入されたパスポート２０の背部を押えて、パスポート２０の浮き上がりを規制する。【選択図】  図１
2007188387.tif 000002
【特許請求の範囲】
【請求項１】
ＩＣチップを有する手帳型の情報媒体が開いた状態で載せられる情報媒体載せ台と、
前記情報媒体載せ台に備えられ、前記情報媒体のＩＣチップの情報を無線通信によって読み取り可能なＩＣチップ読取アンテナと、
前記情報媒体載せ台上に設けられ、前記情報媒体の背部に直交する第１辺が突き当てられる第１ガイド部材と、
前記情報媒体載せ台上に設けられ、前記第１ガイド部材の向きと垂直な向きに配置されて、前記情報媒体の背部に平行な第２辺が突き当てられる第２ガイド部材と、
前記第１ガイド部材から突出して設けられ、前記情報媒体載せ台との間に所定の高さの保持空間を形成する背押え部材と、
を備え、
前記背押え部材は、前記保持空間に挿入された前記情報媒体の背部を押えて、前記情報媒体の浮き上がりを規制することを特徴とする情報媒体読取装置。
【請求項２】
前記背押え部材は、前記情報媒体載せ台に前記情報媒体を載せるときに、開いた前記情報媒体の背部が干渉しない背部非干渉位置に移動可能であることを特徴とする請求項１に記載の情報媒体読取装置。
【請求項３】
前記背押え部材は、水平方向に回動自在であることを特徴とする請求項２に記載の情報媒体読取装置。
【請求項４】
前記背押え部材の突出部分は、前記情報媒体が挿入される側の角部が丸められていることを特徴とする請求項１ないし請求項３のいずれかに記載の情報媒体読取装置。
【請求項５】
前記第２ガイド部材から突出して設けられ、前記情報媒体を開いたときの第２辺側の端部を押える端押え部材を備えたことを特徴とする請求項１ないし請求項４のいずれかに記載の情報媒体読取装置。
【請求項６】
前記端押え部材は、前記情報媒体載せ台に前記情報媒体を載せるときに、開いた前記情報媒体の端部が干渉しない端部非干渉位置に移動可能であることを特徴とする請求項５に記載の情報媒体読取装置。
【請求項７】
前記端押え部材は、上下方向に回動自在であることを特徴とする請求項６に記載の情報媒体読取装置。
【請求項８】
前記端押え部材の突出部分は、前記情報媒体が挿入される側の角部が丸められていることを特徴とする請求項５ないし請求項７のいずれかに記載の情報媒体読取装置。
【請求項９】
前記第１ガイド部材と前記第２ガイド部材との間には、隙間が設けられていることを特徴とする請求項１ないし請求項８のいずれかに記載の情報媒体読取装置。
【発明の詳細な説明】
【技術分野】
【０００１】
本発明は、ＩＣチップを有する手帳型の情報媒体から情報を読み取る作業の作業性が向上する情報媒体読取装置に関するものである。
【背景技術】
【０００２】
従来、パスポート等の手帳型の情報媒体から、機械で自動的に情報を読み取ることができる情報媒体読取装置が提案されている（例えば特許文献１参照）。従来の情報媒体読取装置は、テーブルを備えており、テーブルには情報媒体載せ台が取り付けられている。載せ台はガラス板からなり、フレームによって固定されている。パスポートは、載せ台の上に載せられて、下方からカメラにより撮影される。このようにして、パスポートの機械読取部分に記載された情報（顔写真、旅券番号、氏名、国籍、生年月日、性別など）が光学的に読み取られる。
【０００３】
一般に、パスポート等の手帳型の情報媒体は、閉じられた状態で保管されていることが多く、パスポートに記載された情報を読み取るときにのみ開かれる。したがって、パスポートの開いた面を下にして（裏返しにして）載せ台に載せると、開いたパスポートがもとの閉じた状態に戻ろうとする復元力によって、パスポートの背部が浮き上がろうとする。そのため、作業者（出入国審査官など）は、パスポートの情報が読み取られる間、載せ台の上に載せたパスポートを手で押さえつけて開いた状態に保持する。
【特許文献１】特開２００５−３０３６７２号公報（第２−３頁、第６図）
【発明の開示】
【発明が解決しようとする課題】
【０００４】
近年、手帳型の情報媒体として、ＩＣチップが備えられたものが実用化されている。例えば、ＩＣチップを備えたパスポートでは、上記の機械読取部分の情報のほか、個人認証に必要な情報（例えば、指紋情報や虹彩情報など）がＩＣチップに記憶されている。このように、パスポートのＩＣチップには比較的多くの情報が記憶されているため、その情報を読み取るために、ある程度（数秒間）の時間を要することとなる。したがって、従来の情報媒体読取装置では、ＩＣチップの情報の読み取り作業の間、作業者がパスポートを載せ台に手で押さえつけて保持しつづける必要があり、作業に手間がかかるという問題がある。この場合、作業者はパスポートを手で押さえつけている間、他の作業を行うことができず、作業に時間がかかるという問題がある。
【０００５】
本発明は、上記従来の問題を解決するためになされたもので、ＩＣチップを有する手帳型の情報媒体から情報を読み取る作業の作業性を向上することのできる情報媒体読取装置を提供することを目的とする。
【課題を解決するための手段】
【０００６】
本発明の情報媒体読取装置は、ＩＣチップを有する手帳型の情報媒体が開いた状態で載せられる情報媒体載せ台と、前記情報媒体載せ台に備えられ、前記情報媒体のＩＣチップの情報を無線通信によって読み取り可能なＩＣチップ読取アンテナと、前記情報媒体載せ台上に設けられ、前記情報媒体の背部に直交する第１辺が突き当てられる第１ガイド部材と、前記情報媒体載せ台上に設けられ、前記第１ガイド部材の向きと垂直な向きに配置されて、前記情報媒体の背部に平行な第２辺が突き当てられる第２ガイド部材と、前記第１ガイド部材から突出して設けられ、前記情報媒体載せ台との間に所定の高さの保持空間を形成する背押え部材とを備え、前記背押え部材は、前記保持空間に挿入された前記情報媒体の背部を押えて、前記情報媒体の浮き上がりを規制する構成を有している。
【０００７】
この構成により、手帳型の情報媒体を開いて情報媒体載せ台に載せるときに、背押え部材と情報媒体載せ台との間の保持空間に情報媒体を滑り込ませるとともに、情報媒体の第１辺を第１ガイド部材に突き当てる。このとき、保持空間に挿入された情報媒体の背部が背押え部材によって押えられ、情報媒体の浮き上がりが規制される。これにより、ＩＣチップを有する情報媒体がＩＣチップ読取アンテナから所定の無線通信可能な距離内に保持される。すなわち、開いた情報媒体が閉じた状態に戻ろうとする復元力によって、情報媒体の背部が浮き上がろうとしても、開いた情報媒体の背部が背押え部材によって押えられる。したがって、情報媒体の有するＩＣチップの情報の読み取り作業の間、作業者は情報媒体を情報媒体載せ台に手で押さえつけて保持しつづける必要がなく、作業性が向上し、情報媒体の有するＩＣチップの情報の読み取り精度も向上する。また、情報媒体の有するＩＣチップの情報が読み取られる間、作業者は同時に他の作業を行うこともできるため、作業全体に要する時間が短縮する。
【０００８】
また、本発明の情報媒体読取装置では、前記背押え部材は、前記情報媒体載せ台に前記情報媒体を載せるときに、開いた前記情報媒体の背部が干渉しない背部非干渉位置に移動可能である構成を有している。
【０００９】
この構成により、手帳型の情報媒体が分厚い場合には、背押え部材を背部非干渉位置へ移動させる。これにより、手帳型の情報媒体を開いて情報媒体載せ台に載せるときに、分厚い情報媒体の背部が背押え部材に干渉するのを防止することができる。
【００１０】
また、本発明の情報媒体読取装置では、前記背押え部材は、水平方向に回動自在である構成を有している。
【００１１】
この構成により、手帳型の情報媒体が分厚い場合には、背押え部材を水平方向に回動させて背部非干渉位置へ移動させる。これにより、手帳型の情報媒体を開いて情報媒体載せ台に載せるときに、背押え部材が干渉するのを防止することができる。一方、背押え部材は上下方向には動かないので、浮き上がろうとする情報媒体の背部を押えるときには、背押え部材が上方向に動いてぐらつくことがない。
【００１２】
また、本発明の情報媒体読取装置では、前記背押え部材の突出部分は、前記情報媒体が挿入される側の角部が丸められている構成を有している。
【００１３】
この構成により、背押え部材と情報媒体載せ台との間の保持空間に情報媒体を滑り込ませて挿入するときに、情報媒体が背押え部材の角部に引っ掛かることがない。したがって、手帳型の情報媒体を開いて情報媒体載せ台に載せるときの作業を円滑に行うことができ、作業性が向上する。
【００１４】
また、本発明の情報媒体読取装置では、前記第２ガイド部材から突出して設けられ、前記情報媒体を開いたときの第２辺側の端部を押える端押え部材を備えた構成を有している。
【００１５】
この構成により、手帳型の情報媒体を開いて情報媒体載せ台に載せるときに、端押え部材と情報媒体載せ台との間に情報媒体の端部を滑り込ませるとともに、情報媒体の第２辺を第２ガイド部材に突き当てる。これにより、開いた情報媒体の端部が端押え部材によって押えられる。例えば、開いた情報媒体の端部にソリやハネが生じている場合であっても、情報媒体の端部のソリやハネが端押え部材によって押えられる。したがって、情報媒体の端部に記載された情報が光学的に読み取られる間、作業者は情報媒体を情報媒体載せ台に手で押さえつけて保持しつづける必要がなく、作業性が向上する。また、情報媒体の端部を端押え部材で押えることによっても、ＩＣチップを有する情報媒体がＩＣチップ読取アンテナから所定の無線通信可能な距離内に保持される。
【００１６】
また、本発明の情報媒体読取装置では、前記端押え部材は、前記情報媒体載せ台に前記情報媒体を載せるときに、開いた前記情報媒体の端部が干渉しない端部非干渉位置に移動可能である構成を有している。
【００１７】
この構成により、手帳型の情報媒体の端部が分厚い場合には、端押え部材を端部非干渉位置へ移動させる。これにより、手帳型の情報媒体を開いて情報媒体載せ台に載せるときに、分厚い情報媒体の端部が端押え部材に干渉するのを防止することができる。
【００１８】
また、本発明の情報媒体読取装置では、前記端押え部材は、上下方向に回動自在である構成を有している。
【００１９】
この構成により、手帳型の情報媒体の端部が非常に分厚い場合には、端押え部材を上方向に回動させて端部非干渉位置へ移動させる。これにより、手帳型の情報媒体を開いて情報媒体載せ台に載せるときに、端押え部材が干渉するのを防止することができる。一方、情報媒体の端部が少し分厚い場合には、情報媒体の端部を端押え部材と情報媒体載せ台との間に滑り込ませるときに、端押え部材が上方向に少し回動して、情報媒体の端部が端押え部材によって挟まれる。これにより、情報媒体を情報媒体載せ台に容易に載せることができ、作業性が向上する。
【００２０】
また、本発明の情報媒体読取装置では、前記端押え部材の突出部分は、前記情報媒体が挿入される側の角部が丸められている構成を有している。
【００２１】
この構成により、端押え部材と情報媒体載せ台との間に情報媒体の端部を滑り込ませて挿入するときに、情報媒体の端部が端押え部材の角部に引っ掛かることがない。したがって、手帳型の情報媒体を開いて情報媒体載せ台に載せるときの作業を円滑に行うことができ、作業性が向上する。
【００２２】
また、本発明の情報媒体読取装置では、前記第１ガイド部材と前記第２ガイド部材との間には、隙間が設けられている構成を有している。
【００２３】
この構成により、情報媒体載せ台の上にゴミが落ちた場合には、第１ガイド部材と第２ガイド部材の間の隙間からゴミを掃きだすことができる。これにより、情報媒体載せ台の掃除をするときの作業性が向上する。
【発明の効果】
【００２４】
本発明は、情報媒体載せ台との間に保持空間を有する背押え部材を第１ガイド部材に設けることにより、情報媒体の有するＩＣチップの情報の読み取り作業の間、作業者は情報媒体を情報媒体載せ台に手で押さえつけて保持しつづける必要がなく、作業性が向上するという効果を有する情報媒体読取装置を提供することができるものである。
【発明を実施するための最良の形態】
【００２５】
以下、本発明の実施の形態の情報媒体読取装置について、図面を用いて説明する。本実施の形態では、情報媒体読取装置が、ＩＣチップ付きパスポートの自動読取装置である場合を例示する。パスポート自動読取装置は、例えば、出入国審査窓口のテーブルに備え付けられている。
【００２６】
本発明の実施の形態のパスポート自動読取装置を図１〜図７に示す。図１は、パスポート自動読取装置の斜視図であり、図２は、パスポート自動読取装置の分解斜視図である。図３は、パスポート自動読取装置の平面図であり、図４は、パスポート自動読取装置のセンサ部分の断面図である。
【００２７】
パスポート自動読取装置１は、出入国審査窓口のテーブル上に取り付けられる情報媒体載せ台２（以下、載せ台２という）と、載せ台２の下側に取り付けられるＩＣチップ読取アンテナ３と、載せ台２の上に設けられる第１ガイド部材４および第２ガイド部材５と、第１ガイド部材４に設けられる背押え部材６と、第２ガイド部材５に設けられる端押え部材７を備えている。また、パスポート自動読取装置１の第２ガイド部材５には、一対のパスポート確認センサ８（以下、センサ８という）が備えられている。
【００２８】
載せ台２は、載せ台２をテーブルに固定するためのフレーム９と、フレーム９の中央部分に取り付けられる透明なガラス板１０を備えている。そして、載せ台２の下側には、ガラス板１０に載せたパスポート２０を下方から光学的に撮影するカメラ（図示せず）が備えられている。
【００２９】
ＩＣチップ読取アンテナ３は、載せ台２のガラス板１０を囲むような四角形状をしており、載せ台２のフレーム９の下面にねじで取り付けられている（図２参照）。
【００３０】
第１ガイド部材４および第２ガイド部材５は、パスポート２０を位置決めするためのガイドであり、載せ台２のフレーム９の上面にねじで取り付けられている。第１ガイド部材４と第２ガイド部材５は、載せ台２のガラス板１０の隣接する二辺に沿って配置されている。したがって、第１ガイド部材４と第２ガイド部材５の向きは互いに垂直である。また、本実施の形態では、第１ガイド部材４と第２ガイド部材５との間には、隙間１１が設けられている。
【００３１】
第１ガイド部材４には、Ｌ字状の背押え部材６が水平方向に回動自在に取り付けられている。本実施の形態では、背押え部材６は、第１押え位置と背部非干渉位置との間を水平に回動自在である。第１押え位置では、背押え部材６の一部が第１ガイド部材４から突出している（図１参照）。ここでは、背押え部材６の一部（後述する突出部分１３）が、第１ガイド部材４からガラス板１０の上に向けて水平に突き出して設けられている。また、背部非干渉位置では、背押え部材６は水平方向に１８０°回転されてガラス板１０の外に位置している（図７参照）。
【００３２】
背押え部材６は、ガラス板１０の上面から背押え部材６の下面までの間隔（高さ方向の間隔）が、所定の間隔（例えば１５ｍｍ）になるように設定されている。このようにして、第１押え位置において、背押え部材６と載せ台２のガラス板１０との間には、保持空間１２が形成されている。また、背押え部材６の突出部分１３（第１押え位置において第１ガイド部材４から突出している部分１３）は、パスポート２０が挿入される側の角部が丸められている。例えば、図３に示す背押え部材６では、突出部分１３の右辺と下辺と左辺の角部が丸められている。
【００３３】
また、本実施の形態では、背押え部材６は、カム形状の外周面を有する軸部材１４と、軸部材１４の外周面に当接する板バネ部材１５を備えており（図２参照）、第１押え位置と背部非干渉位置に位置したときに、それぞれクリック感が付与されるように構成されている。
【００３４】
また、第１ガイド部材４の上面には、センサ８の検出結果（読み取り準備完了、パスポート位置正常、パスポート位置異常等）を表示するためのランプ１６が設けられている。
【００３５】
第２ガイド部材５には、端押え部材７が上下方向に回動自在に取り付けられている。本実施の形態では、端押え部材７は、第２押え位置と端部非干渉位置との間を上下に回動自在である。第２押え位置では、端押え部材７の一部が第２ガイド部材５から突出している（図１参照）。ここでは、端押え部材７の一部（後述する突出部分１７）が、第２ガイド部材５からガラス板１０上に向けて水平に突き出して設けられている。また、端部非干渉位置では、端押え部材７は跳ね上げられてガラス板１０の外に位置している（図７参照）。
【００３６】
端押え部材７の突出部分１７（第２押え位置において第２ガイド部材５から突出している部分１７）は、パスポート２０が挿入される側の角部が丸められている。例えば、図３に示す端押え部材７では、突出部分１７の上辺と左辺と下辺の角部が丸められている。また、端押え部材７は、突出部分１７が重くなるように重心の位置が決められており、第２押え位置から少し上方に回動した端押え部材７は、自重で第２押え位置に戻るように構成されている。
【００３７】
第２ガイド部材５の壁面からは、図４に示すように、オーバーハング部１８が突出して形成されている。このオーバーハング部１８の下面は、載せ台２の上面に対して傾斜している。そして、一対のセンサ８は、オーバーハング部１８に互いに離れて配置されている。本実施の形態では、センサ８は、ＬＥＤで構成されており、第２ガイド部材５の上面の凹部１９を利用して取り付けられている。そして、端押え部材７は、このように第２ガイド部材５に取り付けられた一対のセンサ８の中間位置に配置されている（図３参照）。
【００３８】
図５は、ＩＣチップ付きパスポート２０を開いた状態の説明図である。図５に示したパスポート２０の例では、見開き側のページ（図５における右側のページ）には、顔写真、旅券番号、氏名、国籍、生年月日、性別などのＶＩＺ情報（Visual Inspection Zone情報）が含まれるＶＩＺ領域２１が設けられている。また、見開き側のページの端部には、ＭＲＺ情報（Machine Readable Zone情報）が含まれるＭＲＺ領域２２が設けられている。このＭＲＺ情報は、ＶＩＺ領域２１のＶＩＺ情報から抽出される所定の文字情報である。
【００３９】
また、図５に示すように、パスポート２０の表紙（または裏表紙）の所定の箇所には、ＩＣチップ２３が備えられている。このＩＣチップ２３には、ＩＣチップ情報が記憶されている。このＩＣチップ情報には、上記のＶＩＺ情報およびＭＲＺ情報に加えて、個人認証に必要な情報（例えば、指紋情報や虹彩情報など）が含まれる。
【００４０】
以上のように構成されたパスポート自動読取装置１について、ＩＣチップ付きパスポート２０から情報を読み取るときの動作を説明する。
【００４１】
上記のパスポート自動読取装置１を用いて、ＩＣチップ付きパスポート２０の情報（ＶＩＺ情報、ＭＲＺ情報、ＩＣチップ情報）を読み取るときには、まず、図６に示すように、パスポート２０を裏返して（開いた面を下にして）載せ台２の上に載せる。そして、パスポート２０を載せ台２の上で滑らせて、パスポート２０の第１辺（例えば、図５における下辺）を第１ガイド部材４に突き当てるとともに、パスポート２０の第２辺（例えば、図５における右辺）を第２ガイド部材５に突き当てる。ここで、パスポート２０の第１辺とは、パスポート２０を開いたときに形成される辺であり、パスポート２０の背部に直交する辺をいう。また、パスポート２０の第２辺とは、第１辺に隣接する辺であり、パスポート２０の背部に平行な辺をいう。そして、このパスポート２０の第２辺側の端部にＭＲＺ情報が記載されている。
【００４２】
通常、第１ガイド部材４の背押え部材６は、第１押え位置に設定されており、第２ガイド部材５の端押え部材７は、第２押え位置に設定されている（図１参照）。そして、パスポート２０の厚さが通常の厚さの場合には、パスポート２０の背部は背押え部材６の下の保持空間１２に差し込まれ、パスポート２０の端部は端押え部材７の下に差し込まれる。
【００４３】
一方、パスポート２０の厚さが通常よりも分厚い場合には、背押え部材６を背部非干渉位置まで回動させる（図７参照）。これにより、パスポート２０の第１辺を第１ガイド部材４に突き当てるときに、背押え部材６が干渉するのが防止される。また、パスポート２０の端部の厚さが通常よりも分厚い場合には、端押え部材７を端部非干渉位置まで跳ね上げる（図７参照）。これにより、パスポート２０の第２辺を第２ガイド部材５に突き当てるときに、端押え部材７が干渉するのが防止される。
【００４４】
上記のようにして、パスポート２０の第１辺を第１ガイド部材４に突き当てるとともに、第２辺を第２ガイド部材５に突き当てて、パスポート２０の位置決めが行われる。そして位置決めされたパスポート２０は、第２ガイド部材５の一対のセンサ８によって位置が検知される。パスポート２０の端部がセンサ８によって検知されると、第１ガイド部材４のランプ１６（パスポート位置正常のランプ１６）が点灯する。
【００４５】
そして、パスポート２０の位置が正常状態のときに、パスポート２０の下方からカメラによって、ＶＩＺ情報とＭＲＺ情報が光学的に読み取られるとともに、ＩＣチップ読取アンテナ３によって、ＩＣチップ情報が無線通信で読み取られる。
【００４６】
なお、上記のようにパスポート自動読取装置１を用いて、ＩＣチップ付きパスポート２０の情報（ＶＩＺ情報、ＭＲＺ情報、ＩＣチップ情報）を読み取っているときに、載せ台２のガラス面にゴミ（例えば、ステープラーの針など）が落ちた場合には、第１ガイド部材４と第２ガイド部材５の隙間１１からゴミを掃きだす。
【００４７】
このような発明の実施の形態のパスポート自動読取装置１によれば、載せ台２との間に保持空間１２を有する背押え部材６を第１ガイド部材４に設けることにより、パスポート２０の情報（ＶＩＺ情報、ＭＲＺ情報、ＩＣチップ情報）の読み取り作業の間、作業者はパスポート２０を載せ台２に手で押さえつけて保持しつづける必要がなく、作業性が向上する。
【００４８】
すなわち、本実施の形態のパスポート自動読取装置１では、パスポート２０を開いて載せ台２に載せるときに、背押え部材６と載せ台２との間の保持空間１２にパスポート２０を滑り込ませるとともに、パスポート２０の第１辺を第１ガイド部材４に突き当てる。このとき、保持空間１２に挿入されたパスポート２０の背部が背押え部材６によって押えられ、パスポート２０の浮き上がりが規制される。背押え部材６によって押える位置であるパスポート２０の背部は、パスポート２０の第１辺のなかで最も高い位置である。すなわち、開いたパスポート２０は、概略で山のような形状をしており、背部はその稜線を形成しているともいえる。このようにパスポート２０の第１辺の最高点である背部を背押え部材６で押えることにより、ＩＣチップ付きパスポート２０がＩＣチップ読取アンテナ３から所定の無線通信可能な距離内に確実に保持される。
【００４９】
したがって、開いたパスポート２０が閉じた状態に戻ろうとする復元力によって、裏返したパスポート２０の背部が浮き上がろうとしても、開いたパスポート２０の背部が背押え部材６によって確実に押えられる。これにより、パスポート２０の情報（ＶＩＺ情報、ＭＲＺ情報、ＩＣチップ情報）の読み取り作業の間、作業者はパスポート２０を載せ台２に手で押さえつけて保持しつづける必要がなく、作業性が向上し、パスポート２０の情報（ＶＩＺ情報、ＭＲＺ情報、ＩＣチップ情報）の読み取り精度も向上する。また、パスポート２０の情報が読み取られる間、作業者は同時に他の作業を行うこともできるため、作業全体に要する時間が短縮する。
【００５０】
また、本実施の形態のパスポート自動読取装置１では、パスポート２０が分厚い場合には、背押え部材６を水平方向に回動させて背部非干渉位置へ移動させる。これにより、パスポート２０を開いて載せ台２に載せるときに、分厚いパスポート２０の背部が背押え部材６に干渉するのを防止することができる。一方、背押え部材６は上下方向には動かないので、浮き上がろうとするパスポート２０の背部を押えるときには、背押え部材６が上方向に動いてぐらつくことがない。
【００５１】
また、本実施の形態のパスポート自動読取装置１では、背押え部材６の突出部分１３は、パスポート２０の挿入される側の角部が丸められている。これにより、背押え部材６と載せ台２との間の保持空間１２にパスポート２０を滑り込ませるときに、パスポート２０が背押え部材６の角部に引っ掛かることがない。したがって、パスポート２０を開いて載せ台２に載せるときの作業を円滑に行うことができ、作業性が向上して作業時間が短縮する。
【００５２】
また、本実施の形態のパスポート自動読取装置１では、パスポート２０を開いて載せ台２に載せるときに、端押え部材７と載せ台２との間にパスポート２０の端部を滑り込ませるとともに、パスポート２０の第２辺を第２ガイド部材５に突き当てる。これにより、開いたパスポート２０の端部が端押え部材７によって押えられる。例えば、パスポート２０の見開き側のページは厚さが薄いため、パスポート２０の端部にソリやハネは生じやすい。本実施の形態では、このような開いたパスポート２０の端部にソリやハネが生じている場合であっても、パスポート２０の端部のソリやハネが端押え部材７によって押えられる。
【００５３】
したがって、パスポート２０の端部に記載されたＭＲＺ情報が光学的に読み取られる間、作業者はパスポート２０を載せ台２に手で押さえつけて保持しつづける必要がなく、作業性が向上する。また、パスポート２０の端部を端押え部材７で押えることによっても、ＩＣチップ付きパスポート２０がＩＣチップ読取アンテナ３から所定の無線通信可能な距離内に保持される。
【００５４】
また、本実施の形態では、パスポート２０の端部が端押え部材７で押えられているときに、パスポート２０の背部が背押え部材６によって押えられている。このとき、パスポート２０の背部と背押え部材６との間には摩擦力が生じており、その摩擦力によって、パスポート２０が載せ台２の上でずれるのが抑制される。
【００５５】
また、本実施の形態のパスポート自動読取装置１では、パスポート２０の端部が分厚い場合には、端押え部材７を上方向に回動させて端部非干渉位置へ移動させる。これにより、パスポート２０を開いて載せ台２に載せるときに、分厚いパスポート２０の端部が端押え部材７に干渉するのを防止することができる。一方、パスポート２０の端部が少し分厚い場合には、パスポート２０の端部を端押え部材７と載せ台２との間に滑り込ませるときに、端押え部材７が上方向に少し回動して、パスポート２０の端部が端押え部材７によって挟まれる。これにより、パスポート２０を載せ台２に容易に載せることができ、作業性が向上する。
【００５６】
また、本実施の形態のパスポート自動読取装置１では、端押え部材７の突出部分１７は、パスポート２０が挿入される側の角部が丸められている。これにより、端押え部材７と載せ台２との間にパスポート２０の端部を滑り込ませるときに、パスポート２０の端部が端押え部材７の角部に引っ掛かることがない。したがって、パスポート２０を開いて載せ台２に載せるときの作業を円滑に行うことができ、作業性が向上して作業時間短縮する。
【００５７】
また、本実施の形態のパスポート自動読取装置１では、載せ台２の上にゴミが落ちた場合には、第１ガイド部材４と第２ガイド部材５の間の隙間１１からゴミを掃きだすことができる。これにより、載せ台２の掃除をするときの作業性が向上する。
【００５８】
以上、本発明の実施の形態を例示により説明したが、本発明の範囲はこれらに限定されるものではなく、請求項に記載された範囲内において目的に応じて変更・変形することが可能である。
【００５９】
例えば、以上の説明では、背押え部材６が水平方向に回動自在である例について説明したが、本発明の範囲はこれに限定されるものではなく、背押え部材６は、上下方向に回動自在でもよい。その場合、上下方向の回動を規制するロック機構が設けられていることが望ましい。
【００６０】
また、以上の説明では、端押え部材７が上下方向に回動自在である例について説明したが、本発明の範囲はこれに限定されるものではなく、端押え部材７は、水平方向に回動自在でもよい。
【産業上の利用可能性】
【００６１】
以上のように、本発明にかかる情報媒体読取装置は、情報媒体の有するＩＣチップの情報の読み取り作業の作業性が向上するという効果を有し、例えばパスポートの自動読取装置等として有用である。
【図面の簡単な説明】
【００６２】
【図１】本発明の実施の形態におけるパスポート自動読取装置の斜視図
【図２】本発明の実施の形態におけるパスポート自動読取装置の分解斜視図
【図３】本発明の実施の形態におけるパスポート自動読取装置の平面図
【図４】本発明の実施の形態におけるパスポート自動読取装置の側面図
【図５】ＩＣチップ付きパスポートの説明図
【図６】本発明の実施の形態において、ＩＣチップ付きパスポートを載せたときのパスポート自動読取装置の側面図
【図７】本発明の実施の形態において、背押え部材を背部非干渉位置にするとともに端押え部材を端部非干渉位置にしたときのパスポート自動読取装置の斜視図
【符号の説明】
【００６３】
１  パスポート自動読取装置（情報媒体読取装置）
２  情報媒体載せ台
３  ＩＣチップ読取アンテナ
４  第１ガイド部材
５  第２ガイド部材
６  背押え部材
７  端押え部材
１１  隙間
１２  保持空間
１３  背押え部材の突出部分
１７  端押え部材の突出部分
２０  パスポート（情報媒体）
２３  ＩＣチップ
【図１】
2007188387.tif 000003
【図２】
2007188387.tif 000004
【図３】
2007188387.tif 000005
【図４】
2007188387.tif 000006
【図５】
2007188387.tif 000007
【図６】
2007188387.tif 000008
【図７】
2007188387.tif 000009